(57)【要約】      （修正有）【課題】軽量な合成樹脂管の抱持支持に適した簡易な構成を有する配管支持具を提供する。【解決手段】半円状、円弧状又はアーチ状の何れかの形状に形成されて、配管を抱持するバンド抱持部１１と、バンド抱持部の端部の一方又は両方に連設され、床面や壁面を含む取付面に取り付けられる取付部１２と、を有する配管支持具において、取付部が、バンド抱持部の端部の近傍を基端として、端部近傍からバンド抱持部の頂部方向の部分を切り起こし、この切り起こした部分を外側方向であって且つ取付面と面接触可能となるように設けた。【選択図】図１
2017048833.tif 000002
【特許請求の範囲】
【請求項１】
半円状、円弧状又はアーチ状の何れかの形状に形成されて、配管を抱持するバンド抱持部と、
該バンド抱持部の端部の一方又は両方に連設され、床面や壁面を含む取付面に取り付けられる取付部と、
を有する配管支持具において、
前記取付部が、前記バンド抱持部の端部の近傍を基端として、該端部近傍から該バンド抱持部の頂部方向の部分を切り起こし、この切り起こした部分を外側方向であって且つ前記取付面と面接触可能となるように設けた構成であることを特徴とする配管支持具。
【請求項２】
前記配管支持具が、１枚の板状材を加工して形成された構成であることを特徴とする請求項１に記載の配管支持具。
【請求項３】
前記バンド抱持部が半円状を有し、
前記取付部が、該バンド抱持部の両端部近傍の各々から外側方向であって且つ前記取付面と面接触可能に各々設けられた構成であること、
を特徴とする請求項１又は２に記載の配管支持具。
【請求項４】
前記バンド抱持部が円弧状を有し、該バンド抱持部の両端部が接触又は近接して該バンド抱持部が略円形又はΩ字形を成す構成であると共に、
前記取付部が、該バンド抱持部の両端部近傍の各々から外側方向であって且つ前記取付面と面接触可能に各々設けられた構成であること、
を特徴とする請求項１又は２に記載の配管支持具。
【請求項５】
前記バンド抱持部が円弧状を有し、
該バンド抱持部の一方の端部には、該一方の端部近傍から外側方向であって且つ前記取付面と平行となるように一方の取付部が設けられていると共に、
該バンド抱持部の他方の端部には、前記一方の端部に当接又は近接する位置まで延伸し、この延伸した部分に前記取付面と面接触可能であると共に一方の取付部と重層状態に他方の取付部が設けられた構成であること、
を特徴とする請求項１又は２に記載の配管支持具。
【請求項６】
前記バンド抱持部が半円状又は円弧状を有し、
該バンド抱持部の一方の端部には、該一方の端部近傍から外側方向であって且つ前記取付面と面接触可能に前記取付部が設けられていると共に、
該バンド抱持部の他方の端部は、前記取付部が切り起されることなく、該他方の端部が前記取付面に当接又は近接する部分で途切れている構成であること、
を特徴とする請求項１又は２に記載の配管支持具。
【請求項７】
前記バンド抱持部がアーチ状を有し、
前記取付部が、該バンド抱持部の両端部近傍の各々から外側方向であって且つ前記取付面と面接触可能に各々設けられた構成であること、
を特徴とする請求項１又は２に記載の配管支持具。
【請求項８】
前記バンド抱持部が、２本以上の配管を並列状態で抱持する構成であることをを特徴とする請求項３〜７のいずれかに記載の配管支持具。
【請求項９】
前記バンド抱持部が、２本以上の配管を重層状態で抱持する構成であることをを特徴とする請求項３〜７のいずれかに記載の配管支持具。
【請求項１０】
前記取付部の基端部分をスポット溶接の如き補強手段を用いて補強した構成であることを特徴とする請求項１〜９のいずれかに記載の配管支持具。
【発明の詳細な説明】
【技術分野】
【０００１】
本発明は配管支持具に関し、詳しくは合成樹脂製配管の抱持支持に用いて適切な床面・壁面固定用の配管支持具に関する。
【背景技術】
【０００２】
給水管、給湯管、排水管等の種々配管類を支持固定するために抱持バンドを有する配管支持具が用いられている（例えば、特許文献１等参照）。
【０００３】
この種の配管支持具は、半割状の環状部材から成るバンド部と該バンド部の端部に連設された接続部にタンバックルを接続固定し、このタンバックルを天井スラブ等から垂設された吊りボルトや壁面スラブ等から立設された立ちボルトに緊締することにより固定支持する構成を有している。
【先行技術文献】
【特許文献】
【０００４】
【特許文献１】特開平０９−１２６２１６号
【発明の概要】
【発明が解決しようとする課題】
【０００５】
種々の配管類は、近年、鋼管に代わって合成樹脂管（ポリエチレン管、架橋ポリエチレン管、ポリブデン管、塩化ビニル管、プロピレン管、ＡＢＳ管等）が用いられるようになってきており、今後、大部分の配管類が鋼管から合成樹脂管に代わることが予想されている。
【０００６】
合成樹脂管は、高い耐蝕性を有し、しかも鋼管と同等乃至同等以上の耐熱性及び耐衝撃性を有するのに鋼管に比して軽量であり、更に加工が容易であるため、取扱性等の点で優れている。
【０００７】
本発明者は、かかる合成樹脂管の配管支持技術について鋭意研究を続けたところ、合成樹脂管は上記したように軽量であるため、従来の鋼管用の支持具が求められるほどの堅牢度・強度等が必要ではないことを見出した。
【０００８】
そこで本発明の課題は、軽量な合成樹脂管の抱持支持に適した簡易な構成を有する配管支持具を提供することにある。
【課題を解決するための手段】
【０００９】
上記課題を解決する本発明は下記構成を有する。
【００１０】
１．半円状、円弧状又はアーチ状の何れかの形状に形成されて、配管を抱持するバンド抱持部と、
該バンド抱持部の端部の一方又は両方に連設され、床面や壁面を含む取付面に取り付けられる取付部と、
を有する配管支持具において、
前記取付部が、前記バンド抱持部の端部の近傍を基端として、該端部近傍から該バンド抱持部の頂部方向の部分を切り起こし、この切り起こした部分を外側方向であって且つ前記取付面と面接触可能となるように設けた構成であることを特徴とする配管支持具。
【００１１】
２．前記配管支持具が、１枚の板状材を加工して形成された構成であることを特徴とする上記１に記載の配管支持具。
【００１２】
３．前記バンド抱持部が半円状を有し、
前記取付部が、該バンド抱持部の両端部近傍の各々から外側方向であって且つ前記取付面と面接触可能に各々設けられた構成であること、
を特徴とする上記１又は２に記載の配管支持具。
【００１３】
４．前記バンド抱持部が円弧状を有し、該バンド抱持部の両端部が接触又は近接して該バンド抱持部が略円形又はΩ字形を成す構成であると共に、
前記取付部が、該バンド抱持部の両端部近傍の各々から外側方向であって且つ前記取付面と面接触可能に各々設けられた構成であること、
を特徴とする上記１又は２に記載の配管支持具。
【００１４】
５．前記バンド抱持部が円弧状を有し、
該バンド抱持部の一方の端部には、該一方の端部近傍から外側方向であって且つ前記取付面と平行となるように一方の取付部が設けられていると共に、
該バンド抱持部の他方の端部には、前記一方の端部に当接又は近接する位置まで延伸し、この延伸した部分に前記取付面と面接触可能であると共に一方の取付部と重層状態に他方の取付部が設けられた構成であること、
を特徴とする上記１又は２に記載の配管支持具。
【００１５】
６．前記バンド抱持部が半円状又は円弧状を有し、
該バンド抱持部の一方の端部には、該一方の端部近傍から外側方向であって且つ前記取付面と面接触可能に前記取付部が設けられていると共に、
該バンド抱持部の他方の端部は、前記取付部が切り起されることなく、該他方の端部が前記取付面に当接又は近接する部分で途切れている構成であること、
を特徴とする上記１又は２に記載の配管支持具。
【００１６】
７．前記バンド抱持部がアーチ状を有し、
前記取付部が、該バンド抱持部の両端部近傍の各々から外側方向であって且つ前記取付面と面接触可能に各々設けられた構成であること、
を特徴とする上記１又は２に記載の配管支持具。
【００１７】
８．前記バンド抱持部が、２本以上の配管を並列状態で抱持する構成であることをを特徴とする上記３〜７のいずれかに記載の配管支持具。
【００１８】
９．前記バンド抱持部が、２本以上の配管を重層状態で抱持する構成であることをを特徴とする上記３〜７のいずれかに記載の配管支持具。
【００１９】
１０．前記取付部の基端部分をスポット溶接の如き補強手段を用いて補強した構成であることを特徴とする上記１〜９のいずれかに記載の配管支持具。
【発明の効果】
【００２０】
請求項１に示す発明によれば、軽量な合成樹脂管の抱持支持に適した簡易な構成を有する配管支持具を提供することができる。
【００２１】
特に、取付部はバンド抱持部の一部を切り起こして形成するので、取付部がバンド抱持部に対して連設された別構成になっている従来の同タイプのものに比して、使用材料を著しく少なくすることができるので低コスト化が可能であるだけでなく、軽量化を図ることができるので建築物や構築物に用いる数量が多い場合には現場への搬入時の搬送性や作業性の点で極めて有利である。
【００２２】
請求項２に示す発明によれば、１枚の板状材を打ち抜き・プレス・折曲等の簡易な加工手段により形成することが可能なので極めて低コストでの提供が可能である。
【００２３】
請求項３に示す発明によれば、いわゆるサドルバンドのタイプに適用することができる。
【００２４】
請求項４に示す発明によれば、いわゆるサドルバンドの一種のΩ字状のタイプに適用することができる。
【００２５】
請求項５に示す発明によれば、いわゆるクリップサドルバンドのタイプに適用することができる。
【００２６】
請求項６に示す発明によれば、いわゆる片サドルバンドのタイプに適用することができる。
【００２７】
請求項７に示す発明によれば、いわゆる角サドルバンドの一種の角部に丸みを有するタイプに適用することができる。
【００２８】
請求項８又は９に示す発明によれば、一つの簡易な構成の配管支持具によって複数本の配管の支持が可能である。
【００２９】
請求項１０に示す発明によれば、取付部の切起し基端部分の強度を高くすることができる。
【図面の簡単な説明】
【００３０】
【図１】本発明に係る配管支持具の一実施例を示す５面図（正面図、平面図、底面図、左側面図、Ａ−Ａ断面図）
【図２】図１に示す配管支持具の使用例の一例を示す概略正面図
【図３】本発明に係る配管支持具の第２実施例を示す５面図（正面図、平面図、底面図、左側面図、Ｂ−Ｂ断面図）
【図４】本発明に係る配管支持具の第３実施例を示す６面図（正面図、平面図、底面図、左側面図、右側面図、Ｃ−Ｃ断面図）
【図５】本発明に係る配管支持具の第４実施例を示す６面図（正面図、平面図、底面図、左側面図、右側面図、Ｄ−Ｄ断面図）
【図６】本発明に係る配管支持具の第５実施例を示す５面図（正面図、平面図、底面図、左側面図、Ｅ−Ｅ断面図）
【図７】図６に示す配管支持具の使用例の一例を示す概略正面図
【図８】本発明に係る配管支持具の第６実施例の使用例の一例を示す概略正面図
【発明を実施するための形態】
【００３１】
次に、添付の図面に従って本発明について詳細に説明する。
【００３２】
本発明に係る配管支持具は、給水管、給湯管、排水管等の種々配管類を床面や壁面等の取付面に沿った状態で固定支持するものである。
この配管支持具の取付構成としては、バンド抱持部に配管を抱持した状態で、該バンド抱持部の端部の一方又は両方に連設される取付部を前記取付面に取付固定することによって、前記配管を前記取付面に沿った状態で固定支持することができる。
【００３３】
固定支持する種々の配管類としては、従来一般的であった鋼管に代わって近年多く用いられるようになった合成樹脂管（ポリエチレン管、架橋ポリエチレン管、ポリブデン管、塩化ビニル管、プロピレン管、ＡＢＳ管等）の固定支持に本発明は特に有効である。尚、本発明は合成樹脂管の固定支持に特に有効であるが、従来の鋼管の固定支持も可能であり、固定支持する配管として鋼管を排除するものではない。
【００３４】
本発明の配管支持具１の具体的構成例としては、図１及び図２に示すように、
配管支持具１は、
半円状、円弧状又はアーチ状の何れかの形状（本実施例では半円状）に形成されて、配管を抱持するバンド抱持部１１と、
該バンド抱持部１１の端部の一方又は両方（本実施例では両方１１Ａと１１Ｂ）に連設され、床面や壁面を含む取付面２に取り付けられる取付部１２・１２と、
を有する構成において、
前記取付部１２・１２が、前記バンド抱持部１１の端部１１Ａ・１１Ｂの近傍を基端として、該端部１１Ａ・１１Ｂ近傍から該バンド抱持部１１の頂部１１Ｃ方向の部分を切り起こし、この切り起こした部分を外側方向であって且つ前記取付面２と面接触可能となるように設けた構成である。
【００３５】
以下、本発明の構成について更に詳説する。
【００３６】
本発明の配管支持具は、１枚の板状材を加工して形成されており、加工手段としては１枚の板状材を打ち抜き・プレス・折曲等の簡易な加工手段を挙げることができる。これらの加工手段によって、極めて低コストでの提供が可能である。また、用いられる材質としては、この種の配管支持具に用いられる材料として公知公用のものを特別の制限なく用いることができ、好ましくはステンレスやその他の金属である。
【００３７】
図１に示す本実施例は、バンド抱持部１１が半円状を有し、該バンド抱持部１１の両端部１１Ａ・１１Ｂの各々から外側方向であって且つ前記取付面２と面接触可能に前記取付部１２・１２が各々設けられた構成の、いわゆるサドルバンドのタイプに適用された態様を示す。
【００３８】
尚、図１に示す符号１１Ｄ・１１Ｄは、取付部１２・１２が切起こされることにより孔部となったバンド抱持部１１の被切起し部である。
【００３９】
以上の構成を有する本発明の配管支持具１は、取付部１２・１２はバンド抱持部１１の一部を切り起こして形成するので、取付部１２・１２がバンド抱持部１１に対して連設された別構成になっている従来の同タイプのものに比して、２枚の取付部１２・１２を構成する材料に相当する量の使用材料を減じることができるので低コスト化が可能であるだけでなく、軽量化を図ることができるので建築物や構築物に用いる数量が多い場合には現場への搬入時の搬送性や作業性の点で極めて有利である。
【００４０】
そして、このような構成を有する配管支持具１は、図２に示すように、バンド抱持部１１に配管Ｐを抱持した状態で取付面２にボルト等の取付固定手段３により取付固定することによって前記配管Ｐの支持固定が可能となる。
【００４１】
以上、本発明に係る配管支持具について説明したが、本発明は上記実施例に限定されず、本発明の範囲内において種々の他の態様を採ることもできる。
【００４２】
図３に示す第２実施例は、バンド抱持部１１が円弧状を有し、該バンド抱持部１１の両端部１１Ａ・１１Ｂが接触又は近接（本実施例では近接）して該バンド抱持部１１が略円形又はΩ字形（本実施例ではΩ字形）を成す構成であると共に、該バンド抱持部１１の両端部１１Ａ・１１Ｂの各々から外側方向であって且つ前記取付面２と面接触可能に前記取付部１２・１２が各々設けられた構成の、いわゆるサドルバンドの一種のΩ字状のタイプに適用された態様を示す。
【００４３】
また、図４に示す第３実施例は、バンド抱持部１１が円弧状を有し、該バンド抱持部１１の一方の端部１１Ａには、該一方の端部１１Ａから外側方向であって且つ前記取付面２と平行となるように一方の取付部１２Ａが設けられていると共に、該バンド抱持部１１の他方の端部１１Ｂには、前記一方の端部１１Ａに当接又は近接（本実施例では近接）する位置まで延伸し、この延伸した部分に前記取付面２と面接触可能であると共に一方の取付部１２Ａと重層状態に他方の取付部１２Ｂが設けられた構成の、いわゆるクリップサドルバンドのタイプに適用された態様を示す。
【００４４】
更に、図５に示す第４実施例は、バンド抱持部１１が半円状又は円弧状（本実施例では半円状）を有し、該バンド抱持部１１の一方の端部１１Ａには、該一方の端部１１Ａから外側方向であって且つ前記取付面２と面接触可能に取付部１２が設けられていると共に、該バンド抱持部１１の他方の端部１１Ｂは、取付部が連設されることなく、該他方の端部１１Ｂが前記取付面２に当接又は近接する部分で途切れている構成の、いわゆる片サドルバンドのタイプに適用された態様を示す。
【００４５】
更に、図６に示す第５実施例は、バンド抱持部１１がアーチ状を有し、該バンド抱持部１１の両端部１１Ａ・１１Ｂの各々から外側方向であって且つ前記取付面２と面接触可能に取付部１２Ａ・１２Ｂが各々設けられた構成の、いわゆる角サドルバンドの一種の角部に丸みを有するタイプに適用された態様を示す。
【００４６】
尚、この図６に示す第５実施例では、バンド抱持部１１の抱持幅を２倍に拡大した構成とすることによって、図７に示すように、配管Ｐを２本並列状態で支持固定する態様としているが、上記した他の実施例と同様に１本のみの支持固定であってもよいし、３本以上とすることもできる。
尚また、この２本以上の配管Ｐの並列状態での支持については、本発明の範囲内における他の全ての態様についても適用可能である。
【００４７】
２本以上の配管Ｐを抱持する態様の場合、図６及び図７に示す第５実施例の並列状態で抱持する構成に限らず、図８に示すような、重層状態で抱持する構成を採ることもできる。図８に示す実施例は、図１及び図２に示すサドルバンドのタイプの配管支持具１のバンド抱持部１１を重層方向に拡大した構成とすることによって２本の配管Ｐを重層状態に抱持することができるものである。
尚、本実施例では２本の配管Ｐを重層状態に抱持する構成であるが、３本以上とすることもできる。
尚また、この２本以上の配管Ｐの重層状態での支持については、本発明の範囲内における他の全ての態様についても適用可能である。
【００４８】
更に、取付部１２・１２の各々について、各々の切起した基端部分をスポット溶接の如き補強手段を用いて補強する構成が好ましく、かかる構成によれば、切起し部分の破断や裂けを抑制できるので、この切起した起端部分の強度を高くすることができる。
【００４９】
更にまた、取付部１２・１２の各々は、上記した図１〜図８に示すいずれの実施例においてもバンド抱持部１１の外側方向に向かって切起して形成する態様としているが、本発明はこれに限らず、バンド抱持部１１の内側方向に向かって切り起こした後、この切起した部分をバンド抱持部１１の端部１１Ａ・１１Ｂの下端の先端部分において外側方向等に曲げることにより該取付部１２・１２の各々を形成する態様も本発明に包含する。
【符号の説明】
【００５０】
１  配管支持具
１１  バンド抱持部
１１Ａ  バンド抱持部の一方の端部
１１Ｂ  バンド抱持部の他方の端部
１１Ｃ  バンド抱持部の頂部
１１Ｄ  被切起し孔部
１２  取付部
１２Ａ  一方の取付部
１２Ｂ  他方の取付部
１２Ｃ  透孔
２  取付面
３  取付固定手段
Ｐ  配管
【図１】
2017048833.tif 000003
【図２】
2017048833.tif 000004
【図３】
2017048833.tif 000005
【図４】
2017048833.tif 000006
【図５】
2017048833.tif 000007
【図６】
2017048833.tif 000008
【図７】
2017048833.tif 000009
【図８】
2017048833.tif 000010
【手続補正書】
【提出日】平成28年8月25日(2016.8.25)
【手続補正１】
【補正対象書類名】特許請求の範囲
【補正対象項目名】全文
【補正方法】変更
【補正の内容】
【特許請求の範囲】
【請求項１】
半円状、円弧状又はアーチ状の何れかの形状に形成されて、配管を抱持するバンド抱持部と、
該バンド抱持部の端部の一方又は両方に連設され、床面や壁面を含む取付面に取り付けられる取付部と、
を有する配管支持具において、
前記取付部が、前記バンド抱持部の端部の近傍を基端として、該端部近傍から該バンド抱持部の頂部方向の部分を切り起こし、この切り起こした部分を外側方向であって且つ前記取付面と面接触可能となるように設けた構成であり、
更に、この取付部は、基端に折曲角部を形成することなく丸みを帯びた状態で切り起こされ、この丸みを帯びた状態のまま前記取付面に近接し、前記取付面に接触した部分から先は直線状態の構成であること、
を特徴とする配管支持具。
【請求項２】
前記配管支持具が、１枚の板状材を加工して形成された構成であることを特徴とする請求項１に記載の配管支持具。
【請求項３】
前記バンド抱持部が半円状を有し、
前記取付部が、該バンド抱持部の両端部近傍の各々から外側方向であって且つ前記取付面と面接触可能に各々設けられた構成であること、
を特徴とする請求項１又は２に記載の配管支持具。
【請求項４】
前記バンド抱持部が円弧状を有し、該バンド抱持部の両端部が接触又は近接して該バンド抱持部が略円形又はΩ字形を成す構成であると共に、
前記取付部が、該バンド抱持部の両端部近傍の各々から外側方向であって且つ前記取付面と面接触可能に各々設けられた構成であること、
を特徴とする請求項１又は２に記載の配管支持具。
【請求項５】
前記バンド抱持部が円弧状を有し、
該バンド抱持部の一方の端部には、該一方の端部近傍から外側方向であって且つ前記取付面と平行となるように一方の取付部が設けられていると共に、
該バンド抱持部の他方の端部には、前記一方の端部に当接又は近接する位置まで延伸し、この延伸した部分に前記取付面と面接触可能であると共に一方の取付部と重層状態に他方の取付部が設けられた構成であること、
を特徴とする請求項１又は２に記載の配管支持具。
【請求項６】
前記バンド抱持部が半円状又は円弧状を有し、
該バンド抱持部の一方の端部には、該一方の端部近傍から外側方向であって且つ前記取付面と面接触可能に前記取付部が設けられていると共に、
該バンド抱持部の他方の端部は、前記取付部が切り起されることなく、該他方の端部が前記取付面に当接又は近接する部分で途切れている構成であること、
を特徴とする請求項１又は２に記載の配管支持具。
【請求項７】
前記バンド抱持部がアーチ状を有し、
前記取付部が、該バンド抱持部の両端部近傍の各々から外側方向であって且つ前記取付面と面接触可能に各々設けられた構成であること、
を特徴とする請求項１又は２に記載の配管支持具。
【請求項８】
前記バンド抱持部が、２本以上の配管を並列状態で抱持する構成であることをを特徴とする請求項３〜７のいずれかに記載の配管支持具。
【請求項９】
前記バンド抱持部が、２本以上の配管を重層状態で抱持する構成であることをを特徴とする請求項３〜７のいずれかに記載の配管支持具。
【請求項１０】
前記取付部の基端部分をスポット溶接の如き補強手段を用いて補強した構成であることを特徴とする請求項１〜９のいずれかに記載の配管支持具。
【手続補正２】
【補正対象書類名】明細書
【補正対象項目名】００１０
【補正方法】変更
【補正の内容】
【００１０】
１．半円状、円弧状又はアーチ状の何れかの形状に形成されて、配管を抱持するバンド抱持部と、
該バンド抱持部の端部の一方又は両方に連設され、床面や壁面を含む取付面に取り付けられる取付部と、
を有する配管支持具において、
前記取付部が、前記バンド抱持部の端部の近傍を基端として、該端部近傍から該バンド抱持部の頂部方向の部分を切り起こし、この切り起こした部分を外側方向であって且つ前記取付面と面接触可能となるように設けた構成であり、
更に、この取付部は、基端に折曲角部を形成することなく丸みを帯びた状態で切り起こされ、この丸みを帯びた状態のまま前記取付面に近接し、前記取付面に接触した部分から先は直線状態の構成であること、
を特徴とする配管支持具。